(57)【要約】      （修正有）【課題】企業や家庭から排出される生廃棄物を乾燥し活用するペルチェ式乾燥機を提供する。【解決手段】ペルチェ式乾燥機は、筐体１、籠２、ペルチェ式冷却ユニット３、貯留槽４、ペルチェ素子、放熱フィン、吸熱フィン、放熱用ファン、複数段の支持台９、制御盤１０、満水検知センサーで構成する。筐体１は箱体又は筒体で、籠２は底面が通気性の良いメッシュ又は金網構造で、ペルチェ式冷却ユニット３を利用することで高温通風と冷却除湿構造であり、生物を屋内で乾燥できる。運転音が静かで、運転経費が少額で、取扱いが簡単である。【選択図】図１
0003208733.tif 000002
【実用新案登録請求の範囲】
【請求項１】
ペルチェ式乾燥機は、筐体１籠２ペルチェ式冷却ユニット３貯留槽４ペルチェ素子５放熱フィン６吸熱フィン７放熱用ファン８複数段の支持台９制御盤１０満水検知センサー１１で構成する、筐体１は箱体又は筒体で、籠２は底面が通気性の良いメッシュ又は金網であり、ペルチェ式冷却ユニット３は中心にペルチェ素子５で該ペルチェ素子５の上面に放熱用フィン６で、該放熱用フィン６の上面に放熱用ファン８を設ける、そして、ペルチェ素子５の下面へ吸熱フィン７を設ける、ペルチェ式冷却ユニット３は筐体内の支持台９へ固定する構成で、生物を加熱と送風と冷却と集水する構造であり、生物を脱水乾燥することを特徴とするペルチェ式乾燥機
【請求項２】
通電されたペルチェ式冷却ユニット５の上面は発熱するため放熱用フィン６と放熱用ファン８により筐体１内の熱風空気は上方へ対流する、籠２に散布された生物の水分は熱風空気により徐々に蒸発し空気中に吸収され高湿度の空気となる、その高湿度空気は質量が多くなり筐体１内の下方へ沈降する、そして、通電されたペルチェ式冷却ユニット５の冷却作用と吸熱用フィン７の作用で、高湿度の重い空気は沈降し冷却された吸熱フィン７に付着し、ペルチェ式冷却ユニット５の支持台９で集水された水は水流となり流下する、そして、最下段に設けた貯留槽４へ貯留される構造であり、生物を屋内で乾燥する為、音が静かで、運転経費が少額で、生物を屋内で乾燥できることを特徴とするペルチェ式乾燥機
【考案の詳細な説明】
【技術分野】
【０００１】野菜や果物や生ゴミ等の生物を乾燥することで軽量化と縮小化と保存性と衛生的な製品の提供に関する。
【背景技術】
【０００２】企業や家庭から排出される多くの生廃棄物は焼却処分されている、更に、企業や家庭の生廃棄物は脂分や粘り気のあるものが多くあり、加熱撹拌構造である為に、生物乾燥機は故障要因であった。
【先行技術文献】
【特許文献】
【０００３】
【特許文献１】発明の名称ペルチェ式冷却ユニットがある、特願２００９−７１２１１（Ｐ２００９−７１２１１）、そこで、ペルチェ素子の機能を考察すると通電することで一方面では発熱を、他方面では、吸熱する構造である，そして、発熱側には放熱フィン或はヒートシンク、放熱用ファンがあり、吸熱側にも吸熱用フィン或は、ヒートシンクとファンを設けてある、更に、ペルチェ素子は通電する事で加熱と冷却する構造である。
【非特許文献】
【０００４】
【非特許文献１】ペルチェ式冷蔵庫はコンパクトサイズで今まで置けなかったスペースに置けて、しかもペルチェ式なので静穏構造である。
【考案の概要】
【考案が解決しようとする課題】
【０００５】食品、野菜、果物、生ゴミ等の、生物は衛生的な面から焼却処分されている、この、生物を乾燥し活用する。
【課題を解決するための手段】
【０００６】本考案のペルチェ式乾燥機は、筐体１籠２ペルチェ式冷却ユニット３貯留槽４ペルチェ素子５放熱フィン６吸熱フィン７放熱用ファン８複数段の支持台９制御盤１０満水検知センサー１１で構成する、筐体１は箱体又は筒体で、籠２は底面が通気性の良いメッシュ又は金網であり、ペルチェ式冷却ユニット３は中心にペルチェ素子５で該ペルチェ素子５の上面に放熱用フィン６で、該放熱用フィン６の上面に放熱用ファン８を設ける、そして、ペルチェ素子５の下面へ吸熱フィン７を設ける、ペルチェ式冷却ユニット３は筐体内の支持台９へ固定する構造とする。【０００７】筐体内へ複数段を有する支持台９の最下段は貯留水用貯留槽４を設け、該貯留槽４の上段へペルチェ式冷却ユニット３を設ける、該ペルチェ式冷却ユニット３の上部へ複数段の支持台９を設け、該支持台９へ乾燥するための生物を散布した籠２を載置し乾燥する、更に、ペルチェ素子は通電する事で加熱と冷却する構造であり、水分の多い生物を加温と対流送風することで水分の蒸発を促進する、そして蒸発した水分は、ペルチェ素子の吸熱冷却作用で、高温多湿の空気は吸熱フィン７付着し水滴となり回収する構造である。【０００８】通電されたペルチェ式冷却ユニット３の上面は放熱するため放熱用フィン６と放熱用ファン８により筐体内の熱風空気は上方へ対流する、籠２に散布された生物の水分は熱風空気により徐々に蒸発し空気中に吸収され高湿度空気となる、その高湿度空気は質量が多くなり筐体内の下方へ沈降する、そして、通電されたペルチェ式冷却ユニット３の冷却作用と吸熱用フィン７の作用で、吸熱フィン７に付着し集水され水滴となり流下する、そして、水滴となった飽和水は最下段に設けた貯留槽４へ貯留される構造である。【０００９】制御盤１０は電源にＤＣ１２Ｖを受電する、制御盤１０はペルチェ素子５と放熱ファンへ８配電する、更に、貯留槽４に設けた満水検知センサー１１の信号を受けて制御盤１０内で増幅変換され、満水を検知すると制御盤に供給されている電源をオフする構造とした。
【考案の効果】
【００１０】ペルチェ式乾燥機は、生物を屋内で乾燥する為の乾燥機であり、運転音が静かで、運転経費が少なく、取扱いが簡単である。
【図面の簡単な説明】
【００１１】
【図１】本発明のペルチェ式乾燥機の正面図である。
【図２】本発明のペルチェ式乾燥機の側面図である。
【図３】本発明のペルチェ式冷却ユニットの側面図である。
【図４】本発明を説明する制御盤と貯留槽に設けた満水検知センサーである。
【考案を実施するための形態】
【００１２】図１は、ペルチェ式乾燥機の正面図で筐体は箱型で、筐体内部は複数段の支持台を設け、最下段は貯留水を溜める貯留槽で、その上段へペルチェ式冷却ユニットを装置する、更に、上段へ複数の籠を支持する支持台を設け、籠を載置する、そして、筐体の前面は籠と貯留槽を出し入れする扉を設けた構造とする。
【００１３】図２は、ペルチェ式乾燥機の側面図で筐体は箱型で、筐体内部は複数段の支持台を設け、最下段は貯留水を溜める貯留槽であり、その上段へペルチェ式冷却ユニットは５度の傾斜をつけて設置する、上段は複数の籠と籠を支持する支持台を設けた構造を示す。
【００１４】図３は、ペルチェ式冷却ユニットの構造を示すもので、ペルチェ素子を中芯に上側へ放熱フィンその上部へ放熱ファンを設け、ペルチェ素子の下側へ吸熱フィンを設けた構造を示す。
【００１５】図４は、制御盤で、入力電源はＤＣ１２Ｖでペルチェ素子と放熱ファンへＤＣ１２Ｖを配電する、貯留槽へ満水検知センサーを設け、その満水検知センサーが満水を検知すると制御盤内で検知電流を増幅変換することで電源をオフする構造である。
【実施例】
【００１６】ペルチェ式乾燥機の筐体は箱体又は円筒体で、筐体素材は木材、プラスチップ、鋼材で構成する、籠の底面はメッツシュ又は、細目の金網で構成し、ペルチェ式冷却ユニットを支持する支持台は皿状の金属板で構成する、ペルチェ式冷却ユニットはペルチェ素子と放熱フィンと吸熱フィンと放熱用ファンで構成され放熱作用と吸熱作用を行い筐体内の空気を放熱用フィンと放熱用ファンで対流作用を行う、複数段の支持台は籠とペルチェ式冷却ユニットを支持する、ペルチェ式冷却ユニットは中心にペルチェ素子で該ペルチェ素子の上面に放熱用フィンで、該放熱用フィンの上面に放熱用ファンを設ける、そして、ペルチェ素子の下面へ吸熱フィンを設ける、ペルチェ式冷却ユニットは筐体内の支持台へ固定する構造で通電されたペルチェ式冷却ユニットの上面は発熱するため放熱用フィンと放熱用ファンを設け、筐体内の熱風空気を対流作用で対流させる、籠に散布された生物の水分は熱風空気により徐々に蒸発し空気中に吸収され高湿度の空気となる、その高湿度空気は徐々に質量が多くなり筐体内の下方へ沈降する、そこで通電されたペルチェ式冷却ユニットの冷却作用と吸熱用フィンの作用で、高湿度の重い空気は冷却され吸熱フィンへ水分が付着し集水された水は水滴となり、通水性のある皿状の支持台で集水される、そして、水流となった水は最下段に設けた貯留槽へ貯留される構造のペルチェ式乾燥機であり、生物を屋内で乾燥する構造の乾燥機であり、運転音が静かで、運転経費が少額で、取扱いが簡単である構造とした。【００１７】ペルチェ式乾燥機は屋内へ設置し、籠へは定量の乾燥対象物を散布する、散布された籠は筐体内の支持台へ載置する、そこで、ペルチェ式乾燥機の電源を通電するとペルチェ式乾燥機の運転が始まる。【００１８】貯留槽４は満水を検知するための満水検知センサーを設け、貯留槽が満水になると満水報知ライトが点灯し稼働電源をオフする構造とした。【００１９】制御盤１０はＤＣ１２Ｖの電源を受電し、配電制御を行うもので、ペルチェ素子と放熱ファンへ配電する、貯留槽が満水になると貯留槽に設けられた満水検地センサーが起動し、増幅された電力は制御作用で満水報知ライトが点灯し稼働電源はオフされ、ペルチェ式乾燥機は運転を停止する。
【産業上の利用可能性】
【００２０】ペルチェ式乾燥機は生物を乾燥することを記載しているが、乾燥や脱水を目的とするもの例えば乾燥果物や乾燥野菜或は洗濯物の乾燥にも利用できる。
【符号の説明】
【００２１】１  筐体
２  籠
３  ペルチェ式冷却ユニット
４  貯留槽
５  ペルチェ素子
６  放熱フィン
７  吸熱フィン
８  放熱ファン
９  支持台
１０  制御盤
１１  満水検知センサー
【図１】
0003208733.tif 000003
【図２】
0003208733.tif 000004
【図３】
0003208733.tif 000005
【図４】
0003208733.tif 000006